(57)【要約】【課題】獣骨をイメージできる外観性が良好な均一な白い犬用ガムを提供し、犬用ガムに対する需要者の購買意欲を高めること。【解決手段】獣皮、獣副産物、獣皮の派生品のいずれか１種又はこれらの２種以上からなる主原料（好ましくは牛皮を粗粉砕した主原料）と食品用結着剤との混合物を成形した犬用ガムに、炭酸カルシウムが０．５〜５．０重量％含まれてものとした。【選択図】図１
2005065599.tif 000002
【特許請求の範囲】
【請求項１】
炭酸カルシウムを含むことを特徴とする、犬用ガム。
【請求項２】
炭酸カルシウムの含有量が０．５〜５．０重量％であることを特徴とする、請求項１に
記載の犬用ガム。
【請求項３】
獣皮、獣副産物、獣皮の派生品のいずれか１種又はこれらの２種以上からなる主原料と
食品用結着剤との混合物を成形した犬用ガムに炭酸カルシウムが含まれていることを特徴
とする、請求項１又は２に記載の犬用ガム。
【発明の詳細な説明】
【技術分野】
【０００１】
本発明は、犬用ガムに関し、特に、獣骨をイメージできる均一な白い犬用ガムに関する
ものである。
【背景技術】
【０００２】
犬には、獣骨をかじって食い尽くそうとする習性がある。従来、この習性に着目して、
犬用ガムを飼い犬に与えて、ストレスの解消等に役立てている。
一般に知られている犬用ガムは、牛皮を所定の短冊形に裁断し、これを幅方向に丸め、
長手方向両端を玉結びにして膨成し、骨状に形成したもの、或いは牛皮を粗粉砕し、該牛
皮の粉砕物と食品用結着剤との混合物を押出成形し、ステック形状に形成したもの等があ
る。
【０００３】
ここで、犬用ガムには、茶色等の着色を施したものもあるが、この場合には、着色剤が
犬の唾液に溶け、口周りの毛や室内において飼っている場合にはカ−ペットの毛等に付着
し、汚す憂いがあった。また、犬用ガムは、上記したように獣骨をイメージしたものであ
ることから、無着色の白色であることが望まれている。
【０００４】
そこで、犬用ガムの製造にあたっては、原料である牛皮を漂白した後に用いることが成
されているが、十分に漂白することは困難であり、まばらに色が残ったり、特に牛皮の粉
砕物と食品用結着剤との混合物を押し出し成形することにより製造したものにあっては、
成形時或いは乾燥時の加熱等によって、全体的に茶褐色になる場合が多く、均一な白い製
品を得ることは困難であった。
【発明の開示】
【発明が解決しようとする課題】
【０００５】
本発明は、上述した従来の技術が有する課題に鑑み成されたものであって、その目的は
、獣骨をイメージできる外観性が良好な均一な白い犬用ガムを提供し、需要者の購買意欲
を高めることにある。
【課題を解決するための手段】
【０００６】
本発明の犬用ガムは、炭酸カルシウムを含むことを特徴とする（請求項１）。
このように炭酸カルシウムを含むことによって、犬用ガムは全体的に均一な白いものと
なり、外観性が向上するために、犬用ガムに対する需要者の購買意欲を高めることができ
る。また、炭酸カルシウムは、近年、犬にとって不足しがちなカルシウムの補給源となり
、骨格や歯の形成、更には細胞活力の維持等の作用を果たす。
【０００７】
上記炭酸カルシウムの含有量は、０．５〜５．０重量％であることが好ましい（請求項
２）。
これは、炭酸カルシウムの含有量が０．５重量％に満たない場合には、均一な白い犬用
ガムを得ることが困難となるためであり、逆に５．０重量％を越える量を含有させても、
白色とする効果は変わらず、炭酸カルシウムが無駄となるためである。
上記の観点から、炭酸カルシウムの含有量は、１．０〜３．０重量％であることがより
好ましい。
【０００８】
また、本発明は、獣皮、獣副産物、獣皮の派生品のいずれか１種又はこれらの２種以上
からなる主原料（好ましくは牛皮を粉砕した主原料）と食品用結着剤との混合物を成形し
た犬用ガムに、上記炭酸カルシウムが上記の含有量で含まれていることことが好ましい（
請求項３）。
これは、このような形態の犬用ガムは、従来、全体的に茶褐色になっている場合が多く
、均一な白い犬用ガムが得られると言う本発明の効果が顕著に現れるために好ましい。
【発明を実施するための最良の形態】
【０００９】
以下、上記した本発明にかかる犬用ガムの最良の実施の形態を詳細に説明する。
【００１０】
本発明においては、獣皮、獣副産物、獣皮の派生品のいずれか１種又はこれらの２種以
上からなる主原料、例えば獣皮としては、牛皮、馬皮、やぎ皮、ブタ皮等があり、獣副産
物としては、牛、ブタ等の獣の内蔵、骨髄等が挙げられる。更に、獣皮の派生品としては
、バック、靴等の獣皮製品を製造する際に発生した切り屑等が挙げられるが、好ましくは
牛皮を主原料として使用し、これに適量の牛肉粉、鶏肉粉、骨粉、魚粉等を副原料として
使用することもできる。
【００１１】
上記牛皮は、通常、腐敗を防止するために塩漬されている。
この塩漬されている牛皮を、脱塩工程、漂白工程、乾燥工程等を経て、本発明において
使用する牛皮とされる。
【００１２】
上記工程を経た牛皮は、粉砕機により小片（例えば、５ｍｍ角程度）に粗粉砕され、金
属探知機等を用いて不純物が取り除かれる。そして、使用前に粗粉砕された前記牛皮は、
加熱処理（例えば、８０〜１００℃程度）が成され、スラリー状の食品用結着剤（例えば
、こんにゃく、寒天、穀粉等）と加熱下（約１００℃）において攪拌機により混合される
と共に、必要に応じて上記牛肉粉、鶏肉粉、骨粉、魚粉等が副原料として添加される。
【００１３】
そして、さらに本発明においては、上記混合物に炭酸カルシウムが添加混合される。
上記混合物の混合割合は、牛皮等の主・副原料が７０〜９５重量％、炭酸カルシウムが
０．５〜５．０重量％、残部がスラリー状の食品用結着剤とすることが好ましい。
これは、炭酸カルシウムの混合量が０．５重量％に満たない場合には、得られる犬用ガ
ムが白くならないためであり、逆に５．０重量％を越える量を混合させても、白色とする
効果は変わらず、炭酸カルシウムが無駄となるためである。
上記の観点から、炭酸カルシウムの混合量は、１．０〜３．０重量％であることがより
好ましい。
【００１４】
上記混合物には、さらに必要に応じて香料を添加混合しても良い。
香料としては、バニリン（ミルクフレーバーまたはバニラフレーバー）、ビーフフレー
バー、ポークフレーバー、コーンフレーバー、パイナップルフレーバー、グレープフレー
バー、ミントフレーバー等が挙げられる。中でも、バニリンは、材料が入手し易い上に、
少量でも強いミルク風味の匂いを発し、動物の嗅覚を刺激するので好ましい。
【００１５】
得られた上記混合物を押出成形機に投入し、押出成形する。
押出成形機としては、スクリュー押出成形機等が使用でき、スクリュー押出成形機は、
一軸でも二軸でもよい。押出成形の形状は、円柱状のステック形状が好ましく、その場合
の直径及び長さは、大型犬、中型犬、小型犬等の犬の種類や、子犬もしくは成犬等のよう
な年齢により種々の直径及び長さのものを形成することが好ましい。
【００１６】
押出成形した後、含水率を調製するために空気乾燥し、その後、さらにオーブン等で加
熱乾燥（例えば、８０〜１００℃で２４時間）し、本発明にかかる犬用ガムが完成する。
【００１７】
このようにして得られた本発明にかかる犬用ガムは、炭酸カルシウムを含むことによっ
て全体が均一な白いものとなり、外観性が向上するために、需要者の購買意欲を高めるこ
とができる。また、炭酸カルシウムは、犬にとって不足しがちなカルシウムの補給源とな
り、骨格や歯の形成、更には細胞活力の維持等の作用を果たし、犬の発育や健康の増進維
持に役立つ。
【００１８】
本発明にかかる犬用ガムは、上記したように獣皮、獣副産物、獣皮の派生品のいずれか
１種又はこれらの２種以上からなる主原料（好ましくは牛皮を粉砕した主原料）と食品用
結着剤との混合物を成形した犬用ガムに炭酸カルシウムが含まれているものとすることが
好適であるが、獣皮（好ましくは牛皮）を所定の短冊形に裁断し、これを幅方向に丸め、
長手方向両端を玉結びにして膨成し、骨状に形成した犬用ガムに炭酸カルシウムが含まれ
ているものとしても良い。
【００１９】
この場合には、炭酸カルシウムを含む犬用ガムとする方法としては、例えば、浸漬、噴
霧、塗布等の手段を採用することができる。
即ち、浸漬の場合は、炭酸カルシウムを含有するスラリー中に、例えば  所定の短冊形
に裁断された牛皮、或いは骨状に形成された牛皮を浸漬させる。噴霧の場合は、所定の短
冊形に裁断された牛皮、或いは骨状に形成された牛皮に対して炭酸カルシウムを含有する
スラリーをスプレー等で噴霧すればよい。また、塗布の場合は、所定の短冊形に裁断され
た牛皮の表面、或いは骨状に形成された牛皮の表面に刷毛等で炭酸カルシウムを含有する
スラリーを塗布すればよい。なお、浸漬、噴霧、塗布等の手段のうち、２つ以上を併用す
ることもできる。
【００２０】
この場合の犬用ガムに対する炭酸カルシウムの含有（付着）量は、やはり色を白くする
効果と経済性との観点から、０．５〜５．０重量％が好ましく、１．０〜３．０重量％が
より好ましい。
【実施例】
【００２１】
［本発明にかかる犬用ガムの製造］
以下のようにして、本発明にかかる犬用ガムを製造した。
まず、新鮮な塩漬されている牛皮を、脱塩、漂白、乾燥した後に粉砕機により５ｍｍ角
程度に粗粉砕し、金属探知機を用いて不純物を取り除き、主原料とした。
【００２２】
この主原料を、８０〜１００℃程度に加熱処理後、穀粉を食品用結着剤として用いたス
ラリーを混ぜ、約１００℃の加熱下において攪拌機により混合し、更に、ミルクフレーバ
ー及び炭酸カルシウムを加えて混合物を得た。
【００２３】
この混合物の混合割合は、主原料（牛皮）８６．９５重量％、食品用結着剤（穀粉）１
０．００重量％、香料（ミルクフレーバー）０．０５重量％、炭酸カルシウム３．００重
量％とした。
【００２４】
得られた混合物を、スクリュー押出成形機に投入し、直径８ｍｍ程度の棒状体に成形し
、含水率を調製した後、約１０ｃｍ程度の長さにカットし、本発明にかかる犬用ガムを得
た。
この犬用ガムは、図１に示したように、全体が均一な白いのものであった。
【００２５】
［炭酸カルシウムを含まない犬用ガムの製造］
炭酸カルシウムを、押出成形前の原料混合物に添加混合しないこと以外は、上記本発明
にかかる犬用ガムの製造方法と全く同様に行い、炭酸カルシウムを含まない犬用ガムを得
た。
この犬用ガムは、図２に示したように、全体的に茶褐色部分が存在し、外観が悪いもの
であった。
【図面の簡単な説明】
【００２６】
【図１】本発明にかかる犬用ガムを示した斜視図である。
【図２】炭酸カルシウムを含まない（従来の）犬用ガムを示した斜視図である。
【図１】
2005065599.tif 000003
【図２】
2005065599.tif 000004